(57)【要約】【課題】光記録媒体に記録するマーク及びスペースの位置を高精度で制御することを目的とする。【解決手段】光記録媒体１に情報を記録又は再生するための光を照射する光源２と、光記録媒体１に記録するマーク及びスペースに応じて変調される電流を、光源に流す複数の電流源１３と、複数の電流源１３に接続され、複数の電流源１３のＯＮ／ＯＦＦを制御するスイッチ１４と、光記録媒体１に記録するマーク及びスペースに応じて変調されるパルス信号によって、各スイッチ１４のＯＮ／ＯＦＦを制御する記録補償回路１５と、を有する光学的情報記録再生装置において、光源１の光照射時間はパルス信号によって制御され、光源の光照射量は複数の電流源１３から出力される電流によって制御される。【選択図】図１
2007334977.tif 000002
【特許請求の範囲】
【請求項１】
光記録媒体に情報を記録又は再生するための光を照射する光源と、
前記光記録媒体に記録するマーク及びスペースのパターンに応じて変調される電流を前記光源に流す、出力電流量の異なる複数の電流源と、
前記複数の電流源に接続され、前記複数の電流源のＯＮ／ＯＦＦを制御するスイッチと、
前記光記録媒体に記録するマーク及びスペースのパターンに応じて変調されるパルス信号を生成するとともに、前記パルス信号に基づいて前記各スイッチのＯＮ／ＯＦＦを制御する記録補償回路とを有することを特徴とする光学的情報記録再生装置。
【請求項２】
前記パルス信号は、前記パターンの単位時間をＴとするｎＴからｍＴのｋ個で構成され（ｎ，ｍ，ｋはともに自然数）、
前記電流源をｋ個設けるとともに、
記録補償回路は、前記ｋ個の電流源を選択的に切り換えて、前記光源に電流を流すことを特徴とする請求項１記載の光学的情報記録再生装置。
【請求項３】
前記ｋ個のパターンをｊ個からなるグループに分け（ｋ，ｊはともに自然数）、
前記複数の電流源をｊ個設けるとともに、
前記記録補償回路は、前記ｊ個の電流源を選択的に切り換えて、前記光源に電流を流すことを特徴とする請求項１又は２記載の光学的情報記録再生装置。
【発明の詳細な説明】
【技術分野】
【０００１】
本発明は、光学的情報記録再生装置に関し、特に、光記録媒体に記録するマーク及びスペースのパターンに応じて変調されるパルス信号によって光照射時間を制御する光学的情報記録再生装置に関する。
【背景技術】
【０００２】
近年、光記録媒体に対して、半導体レーザ等による光源から光を照射することにより、光記録媒体に情報の記録及び／又は再生を行う光学的情報記録再生装置の研究開発が盛んに行われている。
【０００３】
この光記録媒体には、ＣＤ(Compact Disc)やＤＶＤ(Digital Versatile Disk)、さらにはＢＤ(Blue-Ray Disc)やＨＤＤＶＤ(High Definition DVD)等のものがある。
【０００４】
従来の光学的情報記録再生装置の概略構成を図８に示す。
【０００５】
光記録媒体１００は、光源である半導体レーザ１０２から出射される光が照射されることにより、情報の記録及び／又は再生が行われるものである。
【０００６】
また、光記録媒体１００はスピンドルモータ１０１によって一定方向に回転駆動される。
【０００７】
半導体レーザ１０２から出射された光は、ビームスプリッタ１０３により光記録媒体１００に向かう透過光と、フロントモニタ１０４に向かう反射光に分光される。
【０００８】
ビームスプリッタ１０３を透過した光は、対物レンズ１０５によって光記録媒体１００上に集光され、光記録媒体１００へ情報の記録及び／又は再生が行われるものである。
【０００９】
一方、ビームスプリッタ１０３により反射された光は、フロントモニタ１０４によって光電変換され、半導体レーザ１０２から出射された光に応じたモニタ信号１０６を出力する。
【００１０】
フロントモニタ１０４から出力されたモニタ信号１０６は、誤差信号増幅器１０７によりＣＰＵ１０８の指示による出射光基準信号１０９と比較されて、電流制御信号１１０を半導体レーザ駆動回路１１５に出力する。
【００１１】
また、ＣＰＵ１０８から出力される記録クロック１１１と記録信号１１２は、記録補償回路１１３によって光記録媒体１００に最適な記録（記録マークの形状及び記録位置において最適という意味）を行うことが可能な記録補償信号１１４に変換される。
【００１２】
半導体レーザ駆動回路１１５は、電流制御信号１１０に基づき半導体レーザ駆動回路１１５に設けられた電流源から半導体レーザ１０２に流す電流を増減する。
【００１３】
さらに、記録補償信号１１４によって電流源をＯＮ／ＯＦＦ制御することにより、光記録媒体１００へ安定した情報の記録が行われるようにしている。
【００１４】
光学的情報記録再生装置に用いられる記録補償回路１１３には、一般的に図９に示すようなＤＬＬ(Delay Lock Loop)２００が用いられている。
【００１５】
図９に示すＤＬＬ２００は、複数のバッファ２０１を直列につなぎ、例えば一段目の入力信号と最終段の出力信号を位相比較器２０２によって比較する。
【００１６】
位相比較器２０２の出力はバイアス電流２０３に接続されており、位相比較器２０２の結果に応じて、バイアス電流２０３からバッファ２０１に供給するバイアス電流を増減される。
【００１７】
バッファ２０１は、バイアス電流２０３の増減に反比例して一段あたりの遅延量が変わるものである。
【００１８】
つまり、バイアス電流を増減することによって、一段目バッファ２０１の入力信号と、最終段バッファ２０１の出力信号の位相が合うように、これらバッファ２０１の遅延量が制御されるものである。
【００１９】
この時、バッファ２０１の遅延量は略同一と見なすことができるため、ｎ個のバッファ２０１をつなげることにより、記録クロック１１１から、位相が等間隔で異なるｎ個の位相制御クロック２０４を得ることができる。
【００２０】
例えば、バッファ２０１が２０段直列につながっている時、記録クロック１１１の位相を３６０°／２０＝１８°ずつ異ならせた位相制御クロック２０４を得ることができる。
【００２１】
次に、位相制御クロック２０４は、セレクタ２０５に入力されて所望の位相制御クロック２０４が選択されて出力される。
【００２２】
また、記録信号１１２は、選択された位相制御クロック２０４とともに、フリップフロップ２０６に入力される。
【００２３】
フリップフロップ２０６は、記録信号１１２に選択された位相制御クロック２０４によって同期をかけることで記録補償信号１１４を出力する。
【００２４】
つまり、記録補償回路１１３において、記録信号２０７を記録クロック１１１から所望の位相分遅延することで記録補償信号１１４を得るものである。
【００２５】
従来技術としての特許文献には、以下にあげるものがある。
【特許文献１】特開２００１−２０９９５８号公報
【発明の開示】
【発明が解決しようとする課題】
【００２６】
しかしながら、ＤＬＬ２００を、例えば４倍速ＤＶＤ(Digital Versatile Disk)の記録補償回路１１３に適用する場合に以下のような課題がある。
【００２７】
４倍速ＤＶＤの記録クロック１１１の周波数１０４.５６ＭＨｚから１／２０異なる位相制御クロック２０４を得るためには、バッファ２０１の遅延時間に４７８ｐｓ程度が要求される。
【００２８】
さらに、高精度な１／８０異なる位相制御クロック２０４を得るためには、バッファ２０１の遅延時間には１２０ｐｓ程度が要求される。
【００２９】
さらには、高速記録に伴い記録クロック１１１の周波数が上がると、例えば１６倍速ＤＶＤでは、バッファ２０１の遅延時間は、１／８０異なる位相制御クロック２０４を得る時に３０ｐｓ程度が要求されることとなる。
【００３０】
ここで、バッファ２０１の遅延時間を小さくするためには、バッファ２０１を作る半導体プロセスを微細にすること、バッファ２０１の動作電流を増加させること等が求められる。
【００３１】
例えば、バッファ２０１の最小遅延時間を３０ｐｓ程度まで小さくするために、最先端の半導体プロセスである９０ｎｍや次世代の６５ｎｍを用いる必要がある。
【００３２】
そのため、バッファ２０１で構成されるＤＬＬ２００や記録補償回路１１３が高価になるばかりか、多くの設備投資が要求されてしまう。
【００３３】
また、別の場合として、バッファ２０１の最小遅延時間を小さくするために、バッファ２０１の動作電流を増加させると、バッファ２０１で構成されるＤＬＬ２００や記録補償回路１１３の消費電力が増える。それだけでなく、これら回路の発熱対策等により、これら回路が適用される光記録再生装置の小型化の支障になっている。
【００３４】
さらには、バッファ２０１で構成されるＤＬＬ２００や記録補償回路１１３を、次世代の光記録媒体であるＢＤ(Blue-Ray Disc)の記録補償回路として適用する場合、ＤＶＤに比べて高い記録クロック１１１となる。
【００３５】
具体的には、１倍速ＤＶＤの記録クロック１１１が２６.１４ＭＨｚに対して、１倍速ＢＤの記録クロック１１１は６６ＭＨｚであるため、バッファ２０１で構成されるＤＬＬ２００や記録補償回路１１３を高速なＢＤに適用した場合には、上記の課題はさらに重要になってくる。
【００３６】
そこで、本発明は、上記の課題を解決することを目的とする。
【課題を解決するための手段】
【００３７】
本発明は、上記課題を解決するための手段として、光記録媒体に情報を記録又は再生するための光を照射する光源と、前記光記録媒体に記録するマーク及びスペースに応じて変調される電流を前記光源に流す、出力電流量の異なる複数の電流源と、前記複数の電流源に接続され、前記複数の電流源のＯＮ／ＯＦＦを制御するスイッチと、前記光記録媒体に記録するマーク及びスペースに応じて変調されるパルス信号を生成するとともに、前記パルス信号に基づいて前記各スイッチのＯＮ／ＯＦＦを制御する記録補償回路とを有することを特徴とする。
【発明の効果】
【００３８】
本発明によれば、光記録媒体に記録するマーク及びスペースのパターンに応じて変調された複数のパルス信号を生成するＤＬＬ(Delay Lock Loop)の最小遅延時間以上の分解能で、マーク及びスペースの位置を高精度で制御することができる。
【００３９】
これにより、ＤＬＬを安価な半導体プロセスを用いて構成することが可能になる。また、ＤＬＬの動作電流を下げることが可能となり、ＤＬＬの消費電量の削減が可能になるばかりか、放熱対策も簡素化できるものである。
【００４０】
また、別の場合においては、光記録媒体に記録するマーク及びスペースのパターンを複数のグループに分けて制御することで、半導体レーザ駆動回路に設けられた電流源及びスイッチの数を最小におさえることが可能となる。
【００４１】
そして、回路規模の増加を抑えることが可能となる。つまり、光記録媒体に記録するマーク及びスペースの位置精度をＤＬＬによって制限されなくするものである。
【発明を実施するための最良の形態】
【００４２】
以下、添付図面を参照して本発明を実施するための最良の実施の形態を説明する。
【００４３】
（第１の実施形態）
［構成の説明］
本発明の第１の実施形態について図面を参照しながら以下に説明する。
【００４４】
図１は、本発明の一実施形態としての光学的情報記録再生装置の概略構成を示すブロック図である。
【００４５】
光記録媒体１は、光源である半導体レーザ２から出射される光が照射されることにより、情報の記録及び／又は再生が行われるものである。
【００４６】
また、光記録媒体１は、スピンドルモータ３によって一定方向に回転駆動される。
【００４７】
半導体レーザ２から出射された光は、ビームスプリッタ４により光記録媒体１に向かう透過光と、フロントモニタ５に向かう反射光に分光される。
【００４８】
ビームスプリッタ４を透過した光は、対物レンズ６によって光記録媒体１上に集光され、光記録媒体１へ情報の記録及び／又は再生が行われるものである。
【００４９】
一方、ビームスプリッタ４により反射された光は、フロントモニタ５によって光電変換され、半導体レーザ２から出射された光に応じたモニタ信号７を出力する。
【００５０】
フロントモニタ５から出力されたモニタ信号７は、各誤差信号増幅器８により、ＣＰＵ９の指示による各出射光基準信号１０と比較されて、各電流制御信号１１を半導体レーザ駆動回路１２に出力する。
【００５１】
また、ＣＰＵ９から出力される記録クロック１７と記録信号１８は、記録補償回路１５によって光記録媒体１に最適な記録を行うことが可能な、半導体レーザ駆動回路１２に入射する各記録補償信号１６に変換される。記録補償信号１６は、パルス信号としての機能を果たす。
【００５２】
半導体レーザ駆動回路１２は、各電流制御信号１１に基づき半導体レーザ駆動回路１２に設けられた各電流源１３から半導体レーザ２に流す電流を増減する。
【００５３】
さらに、半導体レーザ駆動回路１２には、スイッチ１４が夫々、各電流源１３に接続されている。
【００５４】
各電流源１３は、互いに異なる出力電流量になるように出射光基準信号１０Ａ、１０Ｂ、１０ＣがＣＰＵ９により設定されている。例えば、電流源Ａの出力電流量＜電流源Ｂの出力電流量＜電流源Ｃの出力電流量になるように設定されている。
【００５５】
記録補償回路１５から出力される各記録補償信号１６によって各電流源１３をＯＮ／ＯＦＦ制御することにより、半導体レーザ２へ供給する電流源の切り換えを行い、光記録媒体１へ安定した情報の記録が行われるようにする。
【００５６】
つまり、各記録補償信号１６によって、各電流源１３の何れか一つ、又は複数を選択して半導体レーザ２に流すことにより、記録情報に応じて異なる光量を得ることが可能である。
【００５７】
図７に、従来と同様のＤＬＬ(Delay Lock Loop)２００を用いて構成される、本発明の一実施形態としての記録補償回路１５を示す。
【００５８】
位相制御クロック２０４はＤＬＬ２００を用いて、記録クロック１７を等間隔の位相異ならせたものであり、セレクタ２０５Ａ／セレクタ２０５Ｂ／セレクタ２０５Ｃに入力されて所望の位相制御クロック２０４が選択されて出力される。また、記録信号１８は、選択された位相制御クロック２０４とともに、フリップフロップ２０６Ａ／フリップフロップ２０６Ｂ／フリップフロップ２０６Ｃに入力される。
【００５９】
本発明によれば、該フリップフロップ２０６Ａ／フリップフロップ２０６Ｂ／フリップフロップ２０６Ｃに入力される位相制御クロック２０４は、記録するマーク及びスペースのパターンに応じて各々異なるものが選択される。該フリップフロップ２０６Ａ／フリップフロップ２０６Ｂ／フリップフロップ２０６Ｃは、記録信号１８に選択された位相制御クロック２０４によって同期をかけることで記録補償信号１６Ａ／記録補償信号１６Ｂ／記録補償信号１６Ｃを出力する。
【００６０】
つまり、記録補償回路１５において、記録するマーク及びスペースのパターンに応じて記録信号１７を記録クロック１７から所望の位相分遅延された記録補償信号１６Ａ／記録補償信号１６Ｂ／記録補償信号１６Ｃを得るものである。
【００６１】
［動作の説明］
次に、本実施の形態の動作について詳細に説明する。
【００６２】
図２は、記録補償回路１５の動作を示すタイミングチャートである。
【００６３】
図２に示すように、記録補償回路１５は記録クロック１７の１周期＝１Ｔを１０分割した位相制御が可能なものとして示している。
【００６４】
なお、分割数は１０に限定されるものではなく、記録補償回路１５に適用されるＤＬＬ２００の最小遅延時間を考慮した範囲であれば、その分割数に制限を与えるものではない。図２（ａ）は、記録信号１８として３Ｔパターンが入力された時の様子を表しており、図２（ａ）によれば、記録信号１８の始端位置を２／１０位相ずらした信号に変換して記録補償信号１６Ａとしているものである。
【００６５】
図２（ｂ）は、記録信号１８として４Ｔパターンが入力された時の様子を表しており、図２（ｂ）によれば、記録信号１８の始端位置を３／１０位相ずらした信号に変換して記録補償信号１６Ｂとしているものである。
【００６６】
さらに、図２（ｃ）は、記録信号１８として５Ｔパターンが入力された時の様子を表しており、図２（ｃ）によれば、記録信号１８の始端位置を４／１０位相ずらした信号に変換して記録補償信号１６Ｃとしている。
【００６７】
記録補償信号１６Ａは、半導体レーザ駆動回路１２のスイッチ１４Ａに接続されており、記録補償信号１６Ａに基づいて、電流源１３Ａからの電流を半導体レーザ２に供給する。
【００６８】
ここで、電流源１３Ａは、ＣＰＵ９の指示する出射光基準信号１０Ａとモニタ信号７の演算によって得られる電流制御信号１１Ａにより増減される。
【００６９】
同様に、記録補償信号１６Ｂは、半導体レーザ駆動回路１２のスイッチ１４Ｂに接続されている。記録補償信号１６Ｂに基づいて、電流制御信号１１Ｂにより増減される電流源１３Ｂからの電流を半導体レーザ２に供給する。
【００７０】
さらに記録補償信号１６Ｃは、半導体レーザ駆動回路１２のスイッチ１４Ｃに接続されている。記録補償信号１６Ｃに基づいて、電流制御信号１１Ｃにより増減される電流源１３Ｃからの電流を半導体レーザ２に供給している。
【００７１】
これらの結果、半導体レーザ２から得られる光は、記録信号１８が３Ｔである時、電流制御信号１１Ａと記録補償信号１６Ａにより一定に保たれる。
【００７２】
同様にして、半導体レーザ２から得られる光は、記録信号１８が４Ｔである時、電流制御信号１１Ｂと記録補償信号１６Ｂにより一定に保たれる。
【００７３】
さらに、記録信号１８が５Ｔである時、電流制御信号１１Ｃと記録補償信号１６Ｃにより一定に保つことが可能とされている。
【００７４】
なお、上記説明においては、記録信号１８として、３Ｔパターン、４Ｔパターン、５Ｔパターンについてのみ説明しているが、様々なパターンに展開することは可能である。記録信号１８の種類に応じて、記録補償回路１５の生成する記録補償信号１６と、半導体レーザ駆動回路１２に設けられた電流源１３、スイッチ１４及びモニタ信号７等で制御される電流制御信号１１を増やすことにより可能である。例えば、記録信号１８としてＥＦＭ(Eight to Fourteen Modulation)が適用される場合を考える。３Ｔパターンから１１Ｔパターンに対応して、記録補償回路１５の生成する記録補償信号１６と、電流源１３、スイッチ１４及びモニタ信号７等で制御される電流制御信号１１とを夫々９個ずつ用意すればよい。当然ではあるが、記録信号１８はＥＦＭに限定されるものではない。
【００７５】
更に、記録補償回路１５に設けられたＦＦ２０６Ａ／ＦＦ２０６Ｂ／ＦＦ２０６Ｃの後段に、記録クロック１７等と論理積を取る処理（不図示）を設けることにより、記録補償信号１６Ａ／記録補償信号１６Ｂ／記録補償信号１６Ｃをマルチパルス化することも可能である。
【００７６】
図３（ａ）によれば、記録信号１８の始端位置を２／１０位相ずらした信号に変換するとともに、１Ｔ周期で繰り返されるマルチパルスに変換して記録補償信号１６Ａとしているものである。
【００７７】
図３（ｂ）によれば、記録信号１８の始端位置を３／１０位相ずらした信号に変換するとともに、１Ｔ周期で繰り返されるマルチパルスに変換して記録補償信号１６Ｂとする。
【００７８】
さらに、図３（ｃ）によれば、記録信号１８の始端位置を４／１０位相ずらした信号に変換するとともに、１Ｔ周期で繰り返されるマルチパルスに変換して記録補償信号１６Ｃとしている。記録補償信号１６Ａは、半導体レーザ駆動回路１２のスイッチ１４Ａに入力しており、記録補償信号１６Ａに基づいて、電流源１３Ａからの電流を半導体レーザ２に供給する。
【００７９】
ここで、電流源１３Ａは、ＣＰＵ９の指示する出射光基準信号１０Ａとモニタ信号７の演算によって得られる電流制御信号１１Ａにより増減される。
【００８０】
同様に、記録補償信号１６Ｂは、半導体レーザ駆動回路１２のスイッチ１４Ｂに入力しており、記録補償信号１６Ｂに基づいて、電流制御信号１１Ｂにより増減される電流源１３Ｂからの電流を半導体レーザ２に供給する。
【００８１】
さらに、記録補償信号１６Ｃは、半導体レーザ駆動回路１２のスイッチ１４Ｃに入力しており、記録補償信号１６Ｃに基づいて、電流制御信号１１Ｃにより増減される電流源１３Ｃからの電流を半導体レーザ２に供給している。
【００８２】
このように、記録補償回路１５は、記録信号１８のパターンによって、記録補償信号１６Ａ／記録補償信号１６Ｂ／記録補償信号１６Ｃを生成するものである。
【００８３】
なお、上記説明においては、記録信号１８の始端位置に着目して説明しているが、記録信号１８の終端位置に適用することも可能である。
【００８４】
さらに別の場合としては、図３に示すマルチパルス化された記録補償信号１６においては、先頭パルスの始端位置及び終端位置や、中間パルスの始端位置及び終端位置等の特定の位置のパルスに対する適用可能である。
【００８５】
図４には、半導体レーザ駆動回路１２に供給される、記録補償信号１６Ａとともに、光記録媒体１上に形成される記録マークとの関係を示す。
【００８６】
図４（ａ）は、電流制御信号１１Ａによって電流源１３Ａから第一の電流値が供給されている時の様子を示している。記録補償信号１６Ａによってスイッチ１３ＡがＯＮ状態になることで、半導体レーザ２からは、第一の電流値に基づいた第一の光量が出力される。
【００８７】
ついで、第一の光量が対物レンズ６によって光記録媒体１に照射されてマークが記録される。
【００８８】
この時形成される記録マークと記録補償信号１６Ａは、図４（ａ）に示すように同位相でそろっているものとする。
【００８９】
図４（ｂ）は、電流制御信号１１Ａによって電流源１３Ａから第二の電流値が供給されている時の様子を示している。記録補償信号１６Ａによってスイッチ１３ＡがＯＮ状態になることで、半導体レーザ２からは、第二の電流値に基づいた第二の光量が出力される。ついで、第二の光量が対物レンズ６によって光記録媒体１に照射されてマークが記録される。
【００９０】
この時、前記電流制御信号１１Ａによって設定される電流源１３Ａの電流は、図４（ａ）及び図４（ｂ）に示すように第二の電流値＞第一の電流値である。つまり、第二の光量＞第一の光量となるため、光記録媒体上に形成される記録マークは、図４（ｂ）に示すように記録補償信号１６Ａよりも進んだ位相になる。これは、光記録媒体へのマークの記録が、半導体レーザ２より照射される光の過熱作用によって行われているためであり、第二の光量に応じてその位置は調整することができるものである。
【００９１】
更には、該電流源１３Ａに設定される電流値に応じて、記録マーク位置がどのように変化するかを、予め記録テストを行って求めておくと効果的である。
【００９２】
該記録テストの一例としては、任意の繰り返しパターン、例えばＥＭＦ変調を用いるものであれば基準周期Ｔの３倍となる３Ｔパターンを、出射光基準信号１０Ａを変化させながら記録する。続けて、該記録された３Ｔパターン長と基準周期Ｔとの差分を計測することによって、前記電流源１３Ａの出力する電流値と該３Ｔパターン長の関係が精度よく求めることができる。
【００９３】
この結果、光記録再生媒体１への情報記録時において、該光記録媒体１上に形成される記録マークをより正確に位置を調整して記録することが可能となる。
【００９４】
上記説明における図４（ａ）及び図４（ｂ）によれば、記録補償信号１６Ａはいずれも、基準クロック１７から２／１０位相遅れているにもかかわらず、記録マークの形成される位置を制御していることを示すものである。これは、出射光誤差信号１１Ａによって電流源１３Ａを異なる電流値に制御することによって行われるものである。
【００９５】
以上説明したように、本実施形態によれば、基準クロック１７から所定の位相制御された記録補償信号１６を用いて半導体レーザ駆動回路１２に設けられたスイッチ１４をＯＮ／ＯＦＦ制御することが可能となる。このようにすることによって、光記録媒体上に記録されるマークの位置を決定することが可能となる。
【００９６】
また、半導体レーザ駆動回路１２に設けられた電流源１３から供給される電流量を異ならせることによって、光記録媒体上に記録されるマークの位置をさらに調整可能とするものである。
【００９７】
これにより、記録補償信号１６を生成するため用いられるＤＬＬ２００の最小遅延時間によって制限される、基準クロック１７の位相分割数よりも小さい間隔で記録マークを形成可能とする。
【００９８】
また、別の場合としては、ＤＬＬ２００に必要とされる最小遅延時間が大きく設計できるため、ＤＬＬ２００を設計する半導体プロセスに最新のものを用いなくとも、例えば０.３５μｍプロセスなどで十分実現可能となる。
【００９９】
（第２の実施形態）
次に、本発明の第２の実施形態について説明する。
【０１００】
本実施の形態では、ＣＰＵ９から出力される記録信号１８の複数のパターンをグループとすることにより行われるものである。
【０１０１】
具体的には、ＤＶＤに用いられるＥＦＭ(Eight to Fourteen modulation)は、記録クロック１７の１周期を１Ｔとする時、３Ｔパターンから１１Ｔパターンの９通りで構成される。
【０１０２】
本発明の説明においては、３Ｔと６Ｔ及び９ＴをＡグループ、４Ｔと７Ｔ及び１０ＴをＢグループ、５Ｔと８Ｔ及び１１ＴをＣグループとして説明する。
【０１０３】
［動作の説明］
まず、図５に示す３Ｔパターンについて説明する。
【０１０４】
ＣＰＵ９から記録補償回路１５に入力された３Ｔパターンは、ＤＬＬ２００を用いて記録クロック１７から２／１０位相が遅れた信号に変換されて、記録補償信号１６Ａとして出力される。
【０１０５】
記録補償信号１６Ａは半導体レーザ駆動回路１２に設けられたスイッチ１４Ａを制御するものであり、スイッチ１４ＡがＯＮすることで、半導体レーザ駆動回路１２に設けられた電流源１３Ａの電流が半導体レーザ２に供給される。
【０１０６】
この時、電流源１３Ａから半導体レーザ２に供給される電流値は、図５に示す第一の電流値である。
【０１０７】
このような条件で半導体レーザ２に電流が供給される時、図５に示すように、半導体レーザ２による出射光は、記録クロック１７から２／１０位相が遅れた所から点灯する。
【０１０８】
また、電流源１３Ａにより出射光は第一の光量になるよう制御された結果、出射光による記録マークは、記録クロック１７から２／１０位相が遅れた所から２／３０進んだ位置になる。
【０１０９】
つまり、光記録媒体１に照射された半導体レーザ２からの出射光は、光記録媒体１上に記録クロック１７から、−２／１０＋２／３０＝４／３０位相の位置から、３Ｔパターンを記録マークとして形成する。
【０１１０】
同様に、図５に示す４Ｔパターンについて説明する。
【０１１１】
ＣＰＵ９から記録補償回路１５に入力された４Ｔパターンは、上記したＤＬＬ２００を用いて記録クロック１７から２／１０位相が遅れた信号に変換されて、記録補償信号１６Ｂとして出力される。
【０１１２】
記録補償信号１６Ｂは半導体レーザ駆動回路１２に設けられたスイッチ１４Ｂを制御するものであり、スイッチ１４ＢがＯＮすることで半導体レーザ駆動回路１２に設けられた電流源１３Ｂの電流が半導体レーザ２に供給される。
【０１１３】
この時、電流源１３Ｂから半導体レーザ２に供給される電流値は、図５に示す第二の電流値である。
【０１１４】
このような条件で半導体レーザ２に電流が供給される時、図５に示すように、半導体レーザ２による出射光は、記録クロック１７から２／１０位相が遅れた所から点灯する。
【０１１５】
また、電流源１３Ｂにより出射光は第二の光量になるよう制御された結果、出射光による記録マークは、記録クロック１７から２／１０位相が遅れた所から１／３０進んだ位置になる。
【０１１６】
つまり、光記録媒体１に照射された半導体レーザ２からの出射光は、光記録媒体１上に記録クロック１７から、−２／１０＋１／３０＝５／３０位相の位置から、４Ｔパターンを記録マークとして形成する。
【０１１７】
同様に、図５に示す５Ｔパターンについて説明する。
【０１１８】
ＣＰＵ９から記録補償回路１５に入力された５Ｔパターンは、上記したＤＬＬ２００を用いて記録クロック１７から２／１０位相が遅れた信号に変換されて、記録補償信号１６Ｃとして出力される。
【０１１９】
記録補償信号１６Ｃは半導体レーザ駆動回路１２に設けられたスイッチ１４Ｃを制御するものであり、スイッチ１４ＣがＯＮすることで半導体レーザ駆動回路１２に設けられた電流源１３Ｃの電流が半導体レーザ２に供給される。
【０１２０】
この時、電流源１３Ｃから半導体レーザ２に供給される電流値は、図５に示す第三の電流値である。
【０１２１】
このような条件で半導体レーザ２に電流が供給される時、図５に示すように、半導体レーザ２による出射光は、記録クロック１７から２／１０位相が遅れた所から点灯する。
【０１２２】
また、電流源１３Ｃにより出射光は第三の光量になるよう制御された結果、出射光による記録マークは、記録クロック１７から２／１０位相が遅れた所から０／３０進んだ位置になる。
【０１２３】
つまり、光記録媒体１に照射された半導体レーザ２からの出射光は、光記録媒体１上に記録クロック１７から、−２／１０＋０／３０＝６／３０位相の位置から、５Ｔパターンを記録マークとして形成する。
【０１２４】
同様に、図５に示す６Ｔパターンについて説明する。
【０１２５】
ＣＰＵ９から記録補償回路１５に入力された６Ｔパターンは、上記したＤＬＬ２００を用いて記録クロック１７から３／１０位相が遅れた信号に変換されて、記録補償信号１６Ａとして出力される。
【０１２６】
記録補償信号１６Ａは半導体レーザ駆動回路１２に設けられたスイッチ１４Ａを制御するものであり、スイッチ１４ＡがＯＮすることで半導体レーザ駆動回路１２に設けられた電流源１３Ａの電流が半導体レーザ２に供給される。
【０１２７】
この時、電流源１３Ａから半導体レーザ２に供給される電流値は、図５に示す第一の電流値である。
【０１２８】
このような条件で半導体レーザ２に電流が供給される時、図５に示すように、半導体レーザ２による出射光は、記録クロック１７から３／１０位相が遅れた所から点灯する。
【０１２９】
また、電流源１３Ａにより出射光は第一の光量になるよう制御された結果、出射光による記録マークは、記録クロック１７から３／１０位相が遅れた所から２／３０進んだ位置になる。
【０１３０】
つまり、光記録媒体１に照射された半導体レーザ２からの出射光は、光記録媒体１上に記録クロック１７から、−３／１０＋２／３０＝７／３０位相の位置から、６Ｔパターンを記録マークとして形成する。
【０１３１】
同様に、図５に示す７Ｔパターンについて説明する。ＣＰＵ９から記録補償回路１５に入力された７Ｔパターンは、上記したＤＬＬ２００を用いて記録クロック１７から３／１０位相が遅れた信号に変換されて、記録補償信号１６Ｂとして出力される。
【０１３２】
記録補償信号１６Ｂは半導体レーザ駆動回路１２に設けられたスイッチ１４Ｂを制御するものであり、スイッチ１４ＢがＯＮすることで半導体レーザ駆動回路１２に設けられた電流源１３Ｂの電流が半導体レーザ２に供給される。
【０１３３】
この時、電流源１３Ｂから半導体レーザ２に供給される電流値は、図５に示す第二の電流値である。
【０１３４】
このような条件で半導体レーザ２に電流が供給される時、図５に示すように、半導体レーザ２による出射光は、記録クロック１７から３／１０位相が遅れた所から点灯する。
【０１３５】
また、電流源１３Ｂにより出射光は第二の光量になるよう制御された結果、出射光による記録マークは、記録クロック１７から３／１０位相が遅れた所から１／３０進んだ位置になる。
【０１３６】
つまり、光記録媒体１に照射された半導体レーザ２からの出射光は、光記録媒体１上に記録クロック１７から、−３／１０＋１／３０＝８／３０位相の位置から、７Ｔパターンを記録マークとして形成する。
【０１３７】
同様に、図５に示す８Ｔパターンについて説明する。
【０１３８】
ＣＰＵ９から記録補償回路１５に入力された８Ｔパターンは、上記したＤＬＬ２００を用いて記録クロック１７から３／１０位相が遅れた信号に変換されて、記録補償信号１６Ｃとして出力される。
【０１３９】
記録補償信号１６Ｃは半導体レーザ駆動回路１２に設けられたスイッチ１４Ｃを制御するものであり、スイッチ１４ＣがＯＮすることで半導体レーザ駆動回路１２に設けられた電流源１３Ｃの電流が半導体レーザ２に供給される。
【０１４０】
この時、電流源１３Ｃから半導体レーザ２に供給される電流値は、図５に示す第三の電流値である。
【０１４１】
このような条件で半導体レーザ２に電流が供給される時、図５に示すように、半導体レーザ２による出射光は、記録クロック１７から３／１０位相が遅れた所から点灯する。
【０１４２】
また、電流源１３Ｃにより出射光は第三の光量になるよう制御された結果、出射光による記録マークは、記録クロック１７から３／１０位相が遅れた所から０／３０進んだ位置になる。
【０１４３】
つまり、光記録媒体１に照射された半導体レーザ２からの出射光は、光記録媒体１上に記録クロック１７から、−３／１０＋０／３０＝９／３０位相の位置から、８Ｔパターンを記録マークとして形成する。
【０１４４】
同様に、図５に示す９Ｔパターンについて説明する。
【０１４５】
ＣＰＵ９から記録補償回路１５に入力された９Ｔパターンは、上記したＤＬＬ２００を用いて記録クロック１７から４／１０位相が遅れた信号に変換されて、記録補償信号１６Ａとして出力される。
【０１４６】
記録補償信号１６Ａは半導体レーザ駆動回路１２に設けられたスイッチ１４Ａを制御するものであり、スイッチ１４ＡがＯＮすることで半導体レーザ駆動回路１２に設けられた電流源１３Ａの電流が半導体レーザ２に供給される。
【０１４７】
この時、電流源１３Ａから半導体レーザ２に供給される電流値は、図５に示す第一の電流値である。
【０１４８】
このような条件で半導体レーザ２に電流が供給される時、図５に示すように、半導体レーザ２による出射光は、記録クロック１７から４／１０位相が遅れた所から点灯する。
【０１４９】
また、電流源１３Ａにより出射光は第一の光量になるよう制御された結果、出射光による記録マークは、記録クロック１７から４／１０位相が遅れた所から２／３０進んだ位置になる。
【０１５０】
つまり、光記録媒体１に照射された半導体レーザ２からの出射光は、光記録媒体１上に記録クロック１７から、−４／１０＋２／３０＝１０／３０位相の位置から９Ｔパターンを記録マークとして形成する。
【０１５１】
同様に、図５に示す１０Ｔパターンについて説明する。
【０１５２】
ＣＰＵ９から記録補償回路１５に入力された１０Ｔパターンは、上記したＤＬＬ２００を用いて記録クロック１７から４／１０位相が遅れた信号に変換されて、記録補償信号１６Ｂとして出力される。
【０１５３】
記録補償信号１６Ｂは半導体レーザ駆動回路１２に設けられたスイッチ１４Ｂを制御するものであり、スイッチ１４ＢがＯＮすることで半導体レーザ駆動回路１２に設けられた電流源１３Ｂの電流が半導体レーザ２に供給される。
【０１５４】
この時、電流源１３Ｂから半導体レーザ２に供給される電流値は、図５に示す第二の電流値である。
【０１５５】
このような条件で半導体レーザ２に電流が供給される時、図５に示すように、半導体レーザ２による出射光は、記録クロック１７から４／１０位相が遅れた所から点灯する。
【０１５６】
また、電流源１３Ｂにより出射光は第二の光量になるよう制御された結果、出射光による記録マークは、記録クロック１７から４／１０位相が遅れた所から１／３０進んだ位置になる。
【０１５７】
つまり、光記録媒体１に照射された半導体レーザ２からの出射光は、光記録媒体１上に記録クロック１７から、−４／１０＋１／３０＝１１／３０位相の位置から、１０Ｔパターンを記録マークとして形成する。
【０１５８】
同様に、図５に示す１１Ｔパターンについて説明する。
【０１５９】
ＣＰＵ９から記録補償回路１５に入力された１１Ｔパターンは、上記したＤＬＬ２００を用いて記録クロック１７から４／１０位相が遅れた信号に変換されて、記録補償信号１６Ｃとして出力される。
【０１６０】
記録補償信号１６Ｃは半導体レーザ駆動回路１２に設けられたスイッチ１４Ｃを制御するものであり、スイッチ１４ＣがＯＮすることで半導体レーザ駆動回路１２に設けられた電流源１３Ｃの電流が半導体レーザ２に供給される。
【０１６１】
この時、電流源１３Ｃから半導体レーザ２に供給される電流値は、図５に示す第三の電流値である。
【０１６２】
このような条件で半導体レーザ２に電流が供給される時、図５に示すように、半導体レーザ２による出射光は、記録クロック１７から４／１０位相が遅れた所から点灯する。
【０１６３】
また、電流源１３Ｃにより出射光は第三の光量になるよう制御された結果、出射光による記録マークは、記録クロック１７から４／１０位相が遅れた所から０／３０進んだ位置になる。
【０１６４】
つまり、光記録媒体１に照射された半導体レーザ２からの出射光は、光記録媒体１上に記録クロック１７から、−４／１０＋０／３０＝１２／３０位相の位置から、１１Ｔパターンを記録マークとして形成する。
【０１６５】
図６に、ＥＦＭ全パターンの関係をまとめて記す。
【０１６６】
上記したように本実施形態では、３Ｔと６Ｔ及び９ＴをＡグループ、４Ｔと７Ｔ及び１０ＴをＢグループ、５Ｔと８Ｔ及び１１ＴをＣグループとしている。
【０１６７】
Ａグループに属するパターンは、記録補償信号１６で半導体レーザ２に各電流源１３の電流を供給することで、第一の光量、第二の光量又は第三の光量で半導体レーザ２から光記録媒体１上に光を照射する。
【０１６８】
この結果、図６に示すように、３Ｔは４／３０、６Ｔは７／３０、９Ｔは１０／３０だけ、記録クロック１７より位相の遅れた位置から記録マークを形成する。
【０１６９】
Ｂグループに属するパターンは、記録補償信号１６で半導体レーザ２に各電流源１３の電流を供給することで、第一の光量、第二の光量又は第三の光量で半導体レーザ２から光記録媒体１上に光を照射する。
【０１７０】
この結果、図６に示すように、４Ｔは５／３０、７Ｔは８／３０、１０Ｔは１１／３０だけ、記録クロック１７より位相の遅れた位置から記録マークを形成する。
【０１７１】
さらに、Ｃグループに属するパターンは、記録補償信号１６で半導体レーザ２に各電流源１３の電流を供給することで、第一の光量、第二の光量又は第三の光量で半導体レーザ２から光記録媒体１上に光を照射する。
【０１７２】
この結果、図６に示すように、５Ｔは６／３０、８Ｔは９／３０、１１Ｔは１２／３０だけ、記録クロック１７より位相の遅れた位置から記録マークを形成する。
【０１７３】
なお、第２の実施形態においての記録パターンはＥＦＭに限定するものではなく、また、記録パターンのグループ化も説明に限定するものではない。
【０１７４】
また、上記の説明においては、記録信号１８の始端位置に着目して説明しているが、記録信号１８の終端位置に適用することも可能である。
【０１７５】
さらに別の場合としては、第１の実施形態同様にマルチパルス化された記録補償信号１６の、先頭パルスの始端位置及び終端位置や、中間パルスの始端位置及び終端位置等の特定の位置のパルスに対する適用可能である。
【０１７６】
以上のように、本実施形態によれば、基準クロック１７から所定の位相制御された記録補償信号１６を用いて、半導体レーザ駆動回路１２に設けられたスイッチ１４をＯＮ／ＯＦＦ制御することが可能となる。このようにすることによって、光記録媒体上に記録されるマークの位置を決定することが可能となる。
【０１７７】
また、半導体レーザ駆動回路１２に設けられた電流源１３から供給される電流量を異ならせることによって、光記録媒体上に記録されるマークの位置をさらに調整可能とするものである。
【０１７８】
また同時に、複数の記録パターンをグループ化することによって、半導体レーザ駆動回路１２に設けるスイッチ１４及び電流源１３を共有することで、半導体レーザ駆動回路の簡素化を可能とするものである。
【０１７９】
これにより、記録補償信号１６を生成するため用いられるＤＬＬ２００の最小遅延時間によって制限される、基準クロック１７の位相分割数よりも小さい間隔で記録マークを形成可能とする。
【０１８０】
また、別の場合としては、ＤＬＬ２００に必要とされる最小遅延時間が大きく設計できるため、ＤＬＬ２００を設計する半導体プロセスに最新のものを用いなくとも、例えば０.３５μｍプロセスなどで十分実現可能となる。
【産業上の利用可能性】
【０１８１】
本発明は、ＣＤ、ＤＶＤ、ＢＤ及びＨＤＤＶＤ等の光記録媒体の記録再生をする光学的情報記録再生装置に利用可能である。
【図面の簡単な説明】
【０１８２】
【図１】本発明の一実施形態としての光学的情報記録再生装置の概略構成を示すブロック図である。
【図２】本発明の第１の実施形態の動作を示すタイミングチャートである。
【図３】本発明の第１の実施形態の動作を示すタイミングチャートである。
【図４】本発明の第１の実施形態の動作を示すタイミングチャートである。
【図５】本発明の第２の実施形態の動作を示すタイミングチャートである。
【図６】本発明の第２の実施形態の動作を示すタイミングチャートである。
【図７】本発明の一実施形態における記録補償回路の構成を示すブロック図である。
【図８】従来の光学的情報記録再生装置の概略構成を示すブロック図である。
【図９】従来のＤＬＬの構成を示すブロック図である。
【符号の説明】
【０１８３】
１  光記録媒体
２  半導体レーザ
３  スピンドルモータ
４  ビームスプリッタ
５  フロントモニタ
６  対物レンズ
７  モニタ信号
８  誤差信号増幅器
９  ＣＰＵ
１０  出射光基準信号
１１  電流制御信号
１２  半導体レーザ駆動回路
１３  電流源
１４  スイッチ
１５  記録補償回路
１６  記録補償信号
１７  記録クロック
１８  記録信号
【図１】
2007334977.tif 000003
【図２】
2007334977.tif 000004
【図３】
2007334977.tif 000005
【図４】
2007334977.tif 000006
【図５】
2007334977.tif 000007
【図６】
2007334977.tif 000008
【図７】
2007334977.tif 000009
【図８】
2007334977.tif 000010
【図９】
2007334977.tif 000011